(57)【要約】　　　（修正有）【課題】使用の安全性を増進する安全採血器を提供する。【解決手段】中空の注射筒（１０）と、固定ブロック（２０）と、側筒部（３０）と、針部（４０）と、弾性体（５０）と、封止ブロック（６０）とを備える。弾性体（５０）は側筒部（３０）の内部に設置されると共に、その両端が夫々針固定用ブロック（４２）及び開口（３２）のリング状ブロックに付勢される。封止ブロック（６０）は開口（３２）と対向する側筒部（３０）の一端に設置することにより、針部（４０）は側筒部（３０）から外部へ飛び出すことを防止できる。【選択図】　図１
0003098288.tif 000002
【実用新案登録請求の範囲】
【請求項１】
中空の注射筒と、固定ブロックと、側筒部と、針部とを備える安全採血器であって、
注射筒は一端が封閉端であり、他端が開口であり、開口端に外縁部が設けられ、封閉端の付近に連通孔が形成され、
固定ブロックは注射筒の内部に設置され、その内部に固定ブロックから外部へ延出する内針部が設けられると共に、固定ブロックの外壁に内針部と連通して、連通孔に対応する孔が形成され、
側筒部は注射筒の外側と連結する中空の筒体であり、その一端に開口が形成され、壁に連通孔に対応する連通孔が形成され、注射筒と対向する側筒部の一側にガイド溝が形成されると共に、そのガイド溝の上、下端に夫々上位置決め部と下位置決め部が形成され、
針部は側筒部の内部に設置され、針固定用ブロックと、その針固定用ブロックの下端に設置する針用カニューレとを有し、針固定用ブロックの内部に針用カニューレと連通する連通パイプが形成されると共に、この連通パイプの一端に錐状孔が形成され、針固定用ブロックの外側にガイド溝に摺動可能のガイドブロックが設けられると共に、上位置決め部又は下位置決め部に位置決めることを特徴とする安全採血器。
【請求項２】
注射筒の外側に梯形の結合部が設けられ、側筒部の外側に注射筒の結合部と結合する連結部が設けられ、側筒部の内部に弾性体が設けられ、開口と対向する側筒部の一端に封止ブロックが設置られることを特徴とする請求項１に記載の安全採血器。
【請求項３】
注射筒と内針部と側筒部は一体に構成されることを特徴とする請求項２に記載の安全採血器。
【考案の詳細な説明】
【０００１】
【考案の属する技術分野】
本考案は、特に使用の安全性を増進する安全採血器に関するものである。
【０００２】
【従来の技術】
従来の採血方法は注射器によって採血後、血液を真空パイプに注入する方法、或いは真空パイプの一端に針用カニューレが設けられ、真空パイプの吸引力によって血液を採血する方法がある。
【０００３】
【考案が解決しようとする課題】
しかしながら、上記従来の採血方法による採血人員は不注意によって注射器の針用カニューレに刺傷することにより、ウィルスが感染される恐れがあるので、使用上非常に不安全である。
【０００４】
そこで、案出されたのが本考案であって、使用の安全性を増進する安全採血器を提供することを目的としている。
【０００５】
【課題を解決するための手段】
本願の請求項１の考案は、中空の注射筒と、固定ブロックと、側筒部と、針部とを備える安全採血器であって、注射筒は一端が封閉端であり、他端が開口であり、開口端に外縁部が設けられ、封閉端の付近い連通孔が形成され、固定ブロックは注射筒の内部に設置され、その内部に固定ブロックから外部へ延出する内針部が設けられると共に、固定ブロックの外壁に内針部と連通して、連通孔に対応する孔が形成され、側筒部は注射筒の外側と連結する中空の筒体であり、その一端に開口が形成され、壁に連通孔に対応する連通孔が形成され、注射筒と対向する側筒部の一側にガイド溝が形成されると共に、そのガイド溝の上、下端に夫々上位置決め部と下位置決め部が形成され、針部は側筒部の内部に設置され、針固定用ブロックと、その針固定用ブロックの下端に設置する針用カニューレとを有し、針固定用ブロックの内部に針用カニューレと連通する連通パイプが形成されると共に、この連通パイプの一端に錐状孔が形成され、針固定用ブロックの外側にガイド溝に摺動可能のガイドブロックが設けられると共に、上位置決め部又は下位置決め部に位置決めることを特徴とする安全採血器、
及び、本願の請求項２の考案は、注射筒の外側に梯形の結合部が設けられ、側筒部の外側に注射筒の結合部と結合する連結部が設けられ、側筒部の内部に弾性体が設けられ、開口と対向する側筒部の一端に封止ブロックが設置られることを特徴とする請求項１に記載の安全採血器、
及び、本願の請求項３の考案は、注射筒と内針部と側筒部は一体に構成されることを特徴とする請求項２に記載の安全採血器、
を提供する。
【０００６】
【作用】
本考案は上記の課題を解決するものであり、採血終了後、ガイドブロックをガイド溝に沿って上位置決め部へ押圧すると共に、針用カニューレを側筒部の内部に回縮することにより、使用者は針用カニューレに刺傷することを防止できる
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係わる安全採血器の第一実施例を示す分解斜視図であり、図２は本考案に係わる安全採血器の第一実施例を示す断面図であり、図３は本考案に係わる安全採血器と真空パイプとの結合前状態を示す断面図であり、図４は本考案に係わる安全採血器と真空パイプとの結合後状態を示す断面図であり、図５は本考案に係わる安全採血器の第二実施例を示す断面図であり、図６は本考案に係わる安全採血器の第三実施例を示す断面図である。
【０００９】
【考案の実施の形態】
図１及び図２に示すように、本考案に係わる安全採血器の第一実施例は中空の注射筒（１０）と、固定ブロック（２０）と、側筒部（３０）と、針部（４０）と、弾性体（５０）と、封止ブロック（６０）とを備える。
【００１０】
注射筒（１０）は一端が封閉端であり、他端が開口であり、開口端に外縁部（１１）が設けられ、注射筒（１０）の外側に梯形の結合部（１２）が設けられると共に、封閉端の付近に連通孔（１３）が形成される。
【００１１】
固定ブロック（２０）は注射筒（１０）の内部に設置され、その内部に固定ブロック（２０）から外部へ延出するＬ字形の内針部（２１）が設けられると共に、固定ブロック（２０）の外壁に内針部（２１）と連通して、連通孔（１３）に対応する孔（２２）が形成され、又、固定ブロック（２０）から外部へ延出する内針部（２１）に弾性カバー（２３）が設置される。
【００１２】
側筒部（３０）は中空の筒体であり、両端に開口が形成され、その一端の内縁にリンク状ブロック（符号なし）が設けられることにより、内径がより小さい開口（３２）が形成され、側筒部（３０）の外側に注射筒（１０）の結合部（１２）と結合する連結部（３１）が設けられると共に、その連結部（３１）に連通孔（１３）に対応する連通孔（３６）が形成されることにより、側筒部（３０）と注射筒（１０）は一体に結合する。又、連結部（３１）と対向する側筒部（３０）の一側にガイド溝（３３）が形成されると共に、そのガイド溝（３３）の上、下端に夫々上位置決め部（３４）と下位置決め部（３５）が形成される。
【００１３】
針部（４０）は側筒部（３０）の内部に設置され、針固定用ブロック（４２）と、その針固定用ブロック（４２）の下端に設置する針用カニューレ（４１）とを有し、針固定用ブロック（４２）に針用カニューレ（４１）をカバーするカバー（４００）が設けられ、針固定用ブロック（４２）の内部に針用カニューレ（４１）と連通する連通パイプ（符号なし）が形成されると共に、この連通パイプの一端に錐状孔（４４）が形成され、針固定用ブロック（４２）の外側にガイド溝（３３）に摺動可能のガイドブロック（４３）が設けられると共に、上位置決め部（３４）又は下位置決め部（３５）に位置決めることができる。
【００１４】
弾性体（５０）は側筒部（３０）の内部に設置されると共に、その両端が夫々針固定用ブロック（４２）及び開口（３２）のリング状ブロックに付勢される。、
【００１５】
封止ブロック（６０）は開口（３２）と対向する側筒部（３０）の一端に設置することにより、針部（４０）は側筒部（３０）から外部へ飛び出すことを防止できる。
【００１６】
図３及び図４に示すように、本考案に係わる安全採血器を使用する場合、ガイドブロック（４３）をガイド溝（３３）に沿って開口（３２）へ押圧することにより、弾性体（５０）が圧縮されると共に、錐状孔（４４）と連通孔（３６）とが連接され、更に、カバー（４００）を外して、針用カニューレ（４１）が側筒部（３０）から下方へ突出すると共に、ガイドブロック（４３）が下位置決め部（３５）に位置決められる。
【００１７】
更に、真空パイプ（７０）を注射筒（１０）の開口端から挿入すると共に、指が外縁部（１１）を掛けることにより、内針部（２１）は弾性カバー（２３）から刺し出すと共に、真空パイプ（７０）の内部に挿入する。
【００１８】
露出する針用カニューレ（４１）は血管に挿入する際、血液は針用カニューレ（４１）、錐状孔（４４）、連通孔（３６）（１３）及び内針部（２１）の孔（２２）を通じて真空パイプ（７０）の内部にゆっくり流入することができる。
【００１９】
採血終了後、ガイドブロック（４３）をガイド溝（３３）に沿って上位置決め部（３４）へ押圧すると共に、針用カニューレ（４１）を側筒部（３０）の内部に回縮することにより、使用者は針用カニューレ（４１）に刺傷することを防止できる。
【００２０】
更に、図５に示すように、本考案に係わる安全採血器の第二実施例の注射筒（８０）と内針部（８１）は一体に構成されると共に、連通孔（３６）によって側筒部（３０）と連通される。図６に示すように、本考案に係わる安全採血器の第三実施例の注射筒（９０）と内針部（９１）と側筒部（９２）は一体に構成される。
【００２１】
【考案の効果】
本考案は上記の構成を有するので、側筒部の内部に回縮可能の針部により、使用者は針用カニューレに刺傷することを防止でき、使用上、非常に安全である。
【図面の簡単な説明】
【図１】本考案に係わる安全採血器の第一実施例を示す分解斜視図である。
【図２】本考案に係わる安全採血器の第一実施例を示す断面図である。
【図３】本考案に係わる安全採血器と真空パイプとの結合前状態を示す断面図である。
【図４】本考案に係わる安全採血器と真空パイプとの結合後状態を示す断面図である。
【図５】本考案に係わる安全採血器の第二実施例を示す断面図である。
【図６】本考案に係わる安全採血器の第三実施例を示す断面図である。
【符号の説明】
１０　　　　注射筒
１１　　　　外縁部
１２　　　　結合部
１３　　　　連通孔
２０　　　　固定ブロック
２１　　　　内針部
２２　　　　孔
２３　　　　弾性カバー
３０　　　　側筒部
３１　　　　連結部
３２　　　　開口
３３　　　　ガイド溝
３４　　　　上位置決め部
３５　　　　下位置決め部
３６　　　　連通孔
４０　　　　針部
４００　　　カバー
４１　　　　針用カニューレ
４２　　　　針固定用ブロック
４３　　　　ガイドブロック
４４　　　　錐状孔
５０　　　　弾性体
６０　　　　封止ブロック
７０　　　　真空パイプ
８０　　　　注射筒
８１　　　　内針部
９０　　　　注射筒
９１　　　　内針部
９２　　　　側筒部
【図１】
0003098288.tif 000003
【図２】
0003098288.tif 000004
【図３】
0003098288.tif 000005
【図４】
0003098288.tif 000006
【図５】
0003098288.tif 000007
【図６】
0003098288.tif 000008